(57)【要約】【課題】作業者の経験に左右されることなく絶縁電線補修用カバーを確実に取り付けることができ、かつ、絶縁電線補修用カバーの取付作業にかかる作業者の負担軽減を図ること。【解決手段】それぞれ加圧面１３１を備え、当該加圧面１３１どうしの間に所定の間隔を空けた状態で対向配置された一対の加圧部材１３０と、一対の加圧部材１３０を支持する支持部材１１０と、支持部材１１０に設けられて、共用操作棒６００の先端に設けられた連結部と連結可能な連結金具１２０と、を備えたカバー取付治具１００を構成した。これにより、カバー取付治具１００に連結した共用操作棒６００を絶縁電線５０１に沿って移動させることによって、間に絶縁電線補修用カバー４００を挟み込んだ一対の加圧部材１３０を絶縁電線補修用カバー４００に沿ってスライド移動させ、爪を凹部に嵌め込むことができる。【選択図】図７
2019176581.tif 000002
【特許請求の範囲】
【請求項１】
それぞれ加圧面を備え、当該加圧面どうしの間に所定の間隔を空けた状態で対向配置された一対の加圧部材と、
前記一対の加圧部材を支持する支持部材と、
前記支持部材に設けられて、共用操作棒の先端に設けられた連結部と連結可能な連結金具と、
を備えたことを特徴とするカバー取付治具。
【請求項２】
前記一対の加圧部材が備える各加圧面は、それぞれ、当該一対の加圧部材の間に形成される空間の両端側が中央側よりも狭くなるように湾曲する弓形状をなし、
前記支持部材は、前記一対の加圧部材を支持することにより、前記両端のうちのいずれか一方を閉止することを特徴とする請求項１に記載のカバー取付治具。
【請求項３】
前記一対の加圧部材は、それぞれ、直径寸法が軸心方向における両端側ほど中央側よりも大きい鼓形状をなす柱状体であって、
前記支持部材は、前記一対の加圧部材のそれぞれの軸心方向を平行にし、外周面どうしを対向させた状態で当該一対の加圧部材を支持することを特徴とする請求項１または２に記載のカバー取付治具。
【請求項４】
前記一対の加圧部材は、それぞれ軸心周りに回転可能であることを特徴とする請求項３に記載のカバー取付治具。
【請求項５】
前記一対の加圧部材のうちの少なくとも一方の加圧部材は他方の加圧部材に対して、前記一対の加圧部材の対向方向に沿って移動可能に設けられており、
移動可能に設けられた加圧部材を、前記一対の加圧部材が近接する方向に付勢する付勢部材を備えたことを特徴とする請求項１〜４のいずれか一つに記載のカバー取付治具。
【請求項６】
前記連結金具は、前記支持部材における前記一対の加圧部材とは反対側に設けられていることを特徴とする請求項１〜５のいずれか一つに記載のカバー取付治具。
【請求項７】
前記連結金具は、前記一対の加圧部材のそれぞれから等しい位置に設けられていることを特徴とする請求項６に記載のカバー取付治具。
【請求項８】
前記連結金具は、前記支持部材における前記一対の加圧部材と同一面に設けられていることを特徴とする請求項１〜５のいずれか一つに記載のカバー取付治具。
【請求項９】
前記連結金具は、
共用操作棒の先端と嵌合する略円筒形状をなすジョイント部と、
前記ジョイント部に固定され、蝶ナットが螺合される雄ネジが中心に設けられた円板形状をなし、中心から放射状に突出する複数の突条を備えたアダプタヘッドと、
前記支持部材に固定された略円板形状をなし、周縁から中心に向かって凹んだ溝と当該溝の突き当たりを中心として板面から放射状に突出する複数の突条を備えた菊座部と、
を備えたことを特徴とする請求項８に記載のカバー取付治具。
【発明の詳細な説明】
【技術分野】
【０００１】
この発明は、絶縁電線補修用カバーの取り付け作業に用いるカバー取付治具に関する。
【背景技術】
【０００２】
架空線などのような配電に用いる絶縁電線において、被覆を剥ぎ取るなどして導電部分が露出した箇所は、配電関係工事基準にしたがい、たとえば、露出した導電部分を絶縁電線補修用カバーによって覆うことにより絶縁処理をおこなう。このような絶縁処理を間接活線作業によっておこなう場合、間接活線作業に対応した絶縁電線補修用カバーを用いる。
【０００３】
間接活線作業に対応した絶縁電線補修用カバーは、略半円筒形状をなす一対のカバー構成部材を備えている。カバー構成部材は、互いに、カバー構成部材がなす半円筒形状の直径方向における端部のうちの一方の端部において回動可能に連結されている。一対のカバー構成部材における一方のカバー構成部材の直径方向における他方の端部には爪が形成されており、他方のカバー構成部材の直径方向における他方の端部には当該爪に対応する位置に凹部が形成されている。爪および凹部は、カバー構成部材の長さ方向に沿って複数（たとえば３つ）設けられている。また、一方のカバー構成部材には、絶縁ヤットコなどの間接活線工具による把持を受け付ける把持部が設けられている。
【０００４】
絶縁電線補修用カバーを用いた絶縁処理に際しては、従来、たとえば、絶縁ヤットコによって把持部を把持した状態で絶縁電線補修用カバーを絶縁処理の対象箇所に近付け、別の絶縁ヤットコによって一対のカバー構成部材を挟み込むことにより、爪を凹部に嵌め込むようにしていた。爪を凹部に嵌め込むことにより一対のカバー構成部材を閉じた状態、すなわち、露出した導電部分を絶縁電線補修用カバーによって覆った状態で保持することができる。
【０００５】
また、従来、たとえば、絶縁電線補修用カバーの外径と略同一径の半円柱形状をなす溝を備えた一対の補助部材の間に一対のカバー構成部材を挟み込むことによって、爪を凹部に嵌め込む作業を支援するようにしたカバー共用取付治具に関する技術があった。このようなカバー共用取付治具は、一対の補助部材のうちの一方の補助部材に、バインド打ち器などの間接活線工具を引っ掛けることができる被操作部を備えており、他方の補助部材を共用操作棒の先端に固定した状態で被操作部を操作して、一対の補助部材の間に一対のカバー構成部材を挟み込むことにより、爪を凹部に嵌め込むことができる。
【０００６】
また、関連する技術として、具体的には、従来、たとえば、開口端側がスリットで二分されて拡開できるようになっている直線スリーブカバーの開口端と嵌合する折り返し部と、絶縁ヤットコが備える一対の把持金具の先端と嵌合する取付部と、を備え、筒状体を中心軸に沿って二分するように形成された取付補助具本体部を、絶縁ヤットコの一対の把持金具が開く動作にともなって拡開させるようにした直線スリーブカバー取付補助具に関する技術があった（たとえば、下記特許文献１を参照。）。
【先行技術文献】
【特許文献】
【０００７】
【特許文献１】特開２０１８−７５０８号公報
【発明の概要】
【発明が解決しようとする課題】
【０００８】
しかしながら、上述したように、絶縁ヤットコを用いて爪を凹部に嵌め込む従来の技術は、爪を凹部に嵌め込む作業が大変やりづらく、当該作業にかかる作業時間が作業者の経験などに左右されるという問題があった。
【０００９】
具体的には、たとえば、絶縁ヤットコを用いて爪を凹部に嵌め込む従来の技術は、絶縁電線補修用カバーを抑える箇所が悪いと爪が凹部に嵌まり込まず、複数設けられている爪および凹部のうちの一部の爪および凹部の嵌め込みが中途半端になってしまうという問題があった。また、具体的には、たとえば、カバー共用取付治具を用いて爪を凹部に嵌め込む上述した従来の技術も、同様に、絶縁電線補修用カバーを抑える箇所が悪いと一部の爪および凹部の嵌め込みが中途半端になってしまうという問題があった。
【００１０】
このような場合、さらに、絶縁電線補修用カバーに絶縁テープを巻き付けるテーピング処理をおこなわなければならず、作業工数が増えてしまうという問題があった。また、間接活線作業によるテーピング処理は非常にやりづらく、さらなる作業時間を要するため、作業者の疲労が増えてしまうという問題があった。
【００１１】
また、カバー共用取付治具を用いて爪を凹部に嵌め込む上述した従来の技術は、使用する間接活線機材が多く、作業が煩雑であるという問題があった。具体的には、間接活線機材として、絶縁ヤットコ、バインド打ち器、絶縁ヤットコを取り付ける共用操作棒とバインド打ち器を取り付ける共用操作棒との２本の共用操作棒、および、カバー共用取付治具を使用しなければならず、使用する間接活線機材が多岐にわたり、作業が煩雑であるという問題があった。
【００１２】
また、上述した特許文献１に記載された従来の技術は、筒状の直線スリーブカバーを用いた作業における負担軽減を図る技術であり、絶縁電線補修用カバーを用いる絶縁処理には適していないという問題があった。
【００１３】
この発明は、上述した従来技術による問題点を解消するため、作業者の経験に左右されることなく絶縁電線補修用カバーを確実に取り付けることができ、かつ、絶縁電線補修用カバーの取付作業にかかる作業者の負担軽減を図ることができるカバー取付治具を提供することを目的とする。
【課題を解決するための手段】
【００１４】
上述した課題を解決し、目的を達成するため、この発明にかかるカバー取付治具は、それぞれ加圧面を備え、当該加圧面どうしの間に所定の間隔を空けた状態で対向配置された一対の加圧部材と、前記一対の加圧部材を支持する支持部材と、前記支持部材に設けられて、共用操作棒の先端に設けられた連結部と連結可能な連結金具と、を備えたことを特徴とする。
【００１５】
また、この発明にかかるカバー取付治具は、上記の発明において、前記一対の加圧部材が備える各加圧面が、それぞれ、当該一対の加圧部材の間に形成される空間の両端側が中央側よりも狭くなるように湾曲する弓形状をなし、前記支持部材が、前記一対の加圧部材を支持することにより、前記両端のうちのいずれか一方を閉止することを特徴とする。
【００１６】
また、この発明にかかるカバー取付治具は、上記の発明において、前記一対の加圧部材が、それぞれ、直径寸法が軸心方向における両端側ほど中央側よりも大きい鼓形状をなす柱状体であって、前記支持部材が、前記一対の加圧部材のそれぞれの軸心方向を平行にし、外周面どうしを対向させた状態で当該一対の加圧部材を支持することを特徴とする。
【００１７】
また、この発明にかかるカバー取付治具は、上記の発明において、前記一対の加圧部材が、それぞれ軸心周りに回転可能であることを特徴とする。
【００１８】
また、この発明にかかるカバー取付治具は、上記の発明において、前記一対の加圧部材のうちの少なくとも一方の加圧部材が、他方の加圧部材に対して、前記一対の加圧部材の対向方向に沿って移動可能に設けられており、移動可能に設けられた加圧部材が、前記一対の加圧部材が近接する方向に付勢する付勢部材を備えたことを特徴とする。
【００１９】
また、この発明にかかるカバー取付治具は、上記の発明において、前記連結金具が、前記支持部材における前記一対の加圧部材とは反対側に設けられていることを特徴とする。
【００２０】
また、この発明にかかるカバー取付治具は、上記の発明において、前記連結金具が、前記一対の加圧部材のそれぞれから等しい位置に設けられていることを特徴とする。
【００２１】
また、この発明にかかるカバー取付治具は、上記の発明において、前記連結金具が、前記支持部材における前記一対の加圧部材と同一面に設けられていることを特徴とする。
【００２２】
また、この発明にかかるカバー取付治具は、上記の発明において、前記連結金具が、共用操作棒の先端と嵌合する略円筒形状をなすジョイント部と、前記ジョイント部に固定され、蝶ナットが螺合される雄ネジが中心に設けられた円板形状をなし、中心から放射状に突出する複数の突条を備えたアダプタヘッドと、前記支持部材に固定された略円板形状をなし、周縁から中心に向かって凹んだ溝と当該溝の突き当たりを中心として板面から放射状に突出する複数の突条を備えた菊座部と、を備えたことを特徴とする。
【発明の効果】
【００２３】
この発明にかかるカバー取付治具によれば、作業者の経験に左右されることなく絶縁電線補修用カバーを確実に取り付けることができ、かつ、絶縁電線補修用カバーの取付作業にかかる作業者の負担軽減を図ることができるという効果を奏する。
【図面の簡単な説明】
【００２４】
【図１】この発明にかかる実施の形態１のカバー取付治具の構成を示す説明図（その１）である。
【図２】この発明にかかる実施の形態１のカバー取付治具の構成を示す説明図（その２）である。
【図３】この発明にかかる実施の形態１のカバー取付治具の構成を示す説明図（その３）である。
【図４】絶縁電線補修用カバーの構成を示す説明図である。
【図５】この発明にかかる実施の形態１のカバー取付治具を用いた、絶縁電線補修用カバーの取付作業手順を示す説明図（その１）である。
【図６】この発明にかかる実施の形態１のカバー取付治具を用いた、絶縁電線補修用カバーの取付作業手順を示す説明図（その２）である。
【図７】この発明にかかる実施の形態１のカバー取付治具を用いた、絶縁電線補修用カバーの取付作業手順を示す説明図（その３）である。
【図８】この発明にかかる実施の形態２のカバー取付治具の構成を示す説明図である。
【図９】この発明にかかる実施の形態３のカバー取付治具の構成を示す説明図である。
【図１０】この発明にかかる実施の形態３のカバー取付治具の構成を示す説明図である。
【発明を実施するための形態】
【００２５】
以下に添付図面を参照して、この発明にかかるカバー取付治具の好適な実施の形態を詳細に説明する。
【００２６】
＜実施の形態１＞
まず、この発明にかかる実施の形態１のカバー取付治具の構成について説明する。図１〜図３は、この発明にかかる実施の形態１のカバー取付治具の構成を示す説明図である。
【００２７】
図１〜図３に示すように、この発明にかかる実施の形態１のカバー取付治具１００は、支持部材１１０と、連結金具１２０と、一対の加圧部材１３０と、を備えている。支持部材１１０は、平板形状をなし、連結金具１２０および一対の加圧部材１３０を支持する。連結金具１２０および一対の加圧部材１３０は、支持部材１１０における同一面に設けられている。
【００２８】
連結金具１２０は、円筒形状をなし、軸心方向における一端側において支持部材１１０に固定されている。連結金具１２０は、軸心方向における他端側に、共用操作棒（図６における符号６００を参照）の先端と嵌合する軸穴を備えた略円筒形状をなすジョイント部１２１を備えている。
【００２９】
連結金具１２０において、ジョイント部１２１の外周面には、軸穴の周縁に連続し、略Ｔ字形状をなす溝１２２が設けられている。この溝１２２は、共用操作棒の先端に設けられたピンと係合することによって連結金具１２０を共用操作棒の先端に固定するツイストロック構造を構成する。ツイストロック構造については、公知の技術であるため説明を省略する。
【００３０】
一対の加圧部材１３０は、それぞれ加圧面１３１を備えている。一対の加圧部材１３０は、加圧面１３１どうしが所定の間隔を空けて対向するように配置されている。一対の加圧部材１３０が備える各加圧面１３１は、それぞれ、支持部材１１０の板厚方向において、当該一対の加圧部材１３０の間に形成される空間の両端側が中央側よりも狭くなるように湾曲する弓形状をなしている。
【００３１】
具体的に、加圧部材１３０は、たとえば、直径寸法が軸心方向における両端側ほど中央側よりも大きい鼓形状をなす柱状体によって実現することができる。この場合、柱状体の外周面によって加圧面１３１を実現することができる。これにより、柱状体における軸心方向が平行になるようにして支持部材１１０に加圧部材１３０を取り付けるだけで、加圧面１３１どうし正対させた状態でカバー取付治具１００を組み立てることができる。
【００３２】
一対の加圧部材１３０は、それぞれ軸心周りに回転可能であってもよい。具体的に、加圧部材１３０を実現する柱状体の軸心に沿って貫通孔（図示を省略する）を設け、支持部材１１０に板厚方向に貫通する貫通孔を設け、各貫通孔を貫通するように挿入したボルト１３２にナット２０１を螺合することによって、一対の加圧部材１３０を軸心周りに回転可能に設けることができる。
【００３３】
（絶縁電線補修用カバーの構成）
つぎに、カバー取付治具１００を用いた取付対象とする絶縁電線補修用カバーの構成について説明する。図４は、絶縁電線補修用カバーの構成を示す説明図である。図４に示すように、絶縁電線補修用カバー４００は、略半円筒形状をなす一対のカバー構成部材４０１、４０２を備えており、組み合わせることによって略円柱形状をなす。
【００３４】
カバー構成部材は、互いに、カバー構成部材４０１、４０２がなす半円筒形状の直径方向における端部のうちの一方の端部において回動可能に連結されている。一対のカバー構成部材４０１、４０２における一方のカバー構成部材４０１は、直径方向における他方の端部に形成された爪４０３を備えている。また、一方のカバー構成部材４０１は、絶縁ヤットコ（図５における符号５００を参照）などの間接活線工具による把持を受け付ける把持部４０４を備えている。
【００３５】
一対のカバー構成部材４０１、４０２における他方のカバー構成部材４０２は、直径方向における他方の端部に形成された凹部４０５を備えている。爪４０３および凹部４０５は、カバー構成部材４０１、４０２の長さ方向に沿って複数（たとえば３つ）設けられている。爪４０３および凹部４０５は、それぞれ、一対のカバー構成部材４０１、４０２を組み合わせた状態において対向する位置に設けられている。
【００３６】
これにより、一対のカバー構成部材４０１、４０２を組み合わせることで爪４０３と凹部４０５とを正対させることができる。そして、爪４０３を凹部４０５に嵌め込むことによって、露出した導電部分を絶縁電線補修用カバー４００によって覆うように一対のカバー構成部材４０１、４０２を閉じた状態で保持することができる。
【００３７】
各カバー構成部材４０１、４０２の内側には、融着材とシール材とが設けられている（いずれも図示を省略する）。融着材は、絶縁電線に取り付けた絶縁電線補修用カバー４００が、絶縁電線に沿って移動してしまうことを防止する。融着材は、カバー構成部材の長さ方向における両端部側に設けられている。融着材が設けられていることにより、取付後の絶縁電線補修用カバー４００が取付位置からずれてしまうことを防止できる。
【００３８】
シール材は、２本の電線を接合した接合部分など、絶縁電線補修用カバー４００の取付対象となる導電部分を絶縁する。シール材は、カバー構成部材の長さ方向における両端部側であって、融着材よりも内側に設けられている。各カバー構成部材の内側にシール材を設けることにより、絶縁電線補修用カバー４００を取り付けることによって導電部分をシーリングして、導電部分の防水性を確保することができる。また、各カバー構成部材の内側にシール材を設けることにより、絶縁電線補修用カバー４００の長さ方向における両端部の開口に施すテーピング処理を不要とすることができる。
【００３９】
（絶縁電線補修用カバー４００の取付作業手順）
つぎに、この発明にかかる実施の形態１のカバー取付治具１００を用いた、絶縁電線補修用カバー４００の取付作業手順について説明する。図５〜図７は、この発明にかかる実施の形態１のカバー取付治具１００を用いた、絶縁電線補修用カバー４００の取付作業手順を示す説明図である。絶縁電線補修用カバー４００の取付作業に際しては、まず、図５に示すように、絶縁ヤットコ５００によって把持部４０４を把持した状態で、絶縁電線補修用カバー４００を絶縁電線５０１における絶縁処理の対象箇所（導電部分）に被せる。
【００４０】
つぎに、図６に示すように、共用操作棒６００の先端に、カバー取付治具１００を連結する。共用操作棒６００は、先端に、軸心方向に直交する面内に突出するピン６０１が設けられた連結具６０２を備えている。このピン６０１を、連結金具１２０において軸穴部分の外周面に設けられた略Ｔ字形状をなす溝１２２に係合させることによってツイストロック構造を構成することにより、共用操作棒６００の連結具６０２と連結金具１２０とを連結し、共用操作棒６００の先端にカバー取付治具１００を連結することができる。
【００４１】
つぎに、絶縁電線５０１における導電部分に被せた絶縁電線補修用カバー４００の長さ方向における一端側に、カバー取付治具１００を位置づける。このとき、一対の加圧部材１３０の間に絶縁電線５０１を位置づける。そして、図７に示すように、電線絶縁電線５０１の長さ方向に沿ってカバー取付治具１００をスライド移動させる。これにより、カバー取付治具１００が、長さ方向における一端側から一対の加圧部材１３０の間に絶縁電線補修用カバー４００を挟み込んだ状態で、当該絶縁電線補修用カバー４００に沿ってスライド移動する。
【００４２】
絶縁電線補修用カバー４００における複数箇所（３箇所）に設けられた爪４０３は、一対の加圧部材１３０の間に位置したときに、対向する凹部４０５に嵌め込まれる。カバー取付治具１００のスライド移動は、絶縁電線補修用カバー４００に沿って往復させてもよい。これにより、爪４０３を凹部４０５に確実に嵌め込むことができる。
【００４３】
加圧面１３１が湾曲した弓形状をなしているため、対向した状態においては加圧面１３１どうしの間には、絶縁電線補修用カバー４００の形状にあわせた形状の空間が形成される。このような加圧面１３１どうしの間に絶縁電線補修用カバー４００を挟み込んでスライド移動することにより、挟み込むことによる絶縁電線補修用カバー４００の変形を防止し、確実に、爪４０３を凹部４０５に嵌め込むことができる。
【００４４】
一対の加圧部材１３０は回動可能に設けられているため、カバー取付治具１００のスライド移動に際しては、絶縁電線補修用カバー４００との摩擦によって加圧部材１３０を軸心周りに回転する。加圧部材１３０は軸心方向における中央側がくびれた鼓形状をなす柱状体であるため、回転角度によらず、常に、湾曲した弓形状をなす加圧面１３１どうしを対向させることができる。これにより、絶縁電線補修用カバー４００に沿ってカバー取付治具１００をスライド移動させる作業者の負担軽減を図ることができる。
【００４５】
上述したカバー取付治具１００においては、軸心方向における中央側がくびれた鼓形状をなす一対の柱状体によって一対の加圧部材を実現するようにしたが、加圧部材の形状は鼓形状をなす柱状体に限るものではない。たとえば、鼓形状をなす柱状体に代えて、半円筒形状をなす一対の部材によって一対の加圧部材を実現してもよい。この場合、半円筒形状をなす一対の部材は、凹んだ面を対向させた状態で所定間隔離間させて配置する。また、この場合、半円筒形状の部材は回転しないように、支持部材１１０に対する位置を固定する。
【００４６】
これにより、半円筒形状をなす部材における弓状に湾曲する内面の形状を利用して、一対の加圧部材の間に、支持部材１１０の板厚方向に沿って両端側が中央側よりも狭くなるような空間を形成することができる。この場合、半円筒形状をなす部材は、さらに、軸心方向における両端側が、互いに離反する方向に湾曲した形状としてもよい。これにより、一対の加圧部材が回転しない場合にも、一対の加圧部材の間に絶縁電線補修用カバー４００を導入しやすくすることができる。
【００４７】
あるいは、鼓形状をなす柱状体に代えて、略「く」の字形状をなす一対の板状部材によって一対の加圧部材を実現してもよい。また、あるいは、一対の加圧部材のうちの一方を鼓形状をなす柱状体によって実現し、他方を半円筒形状をなす部材あるいは略「く」の字形状をなす板状部材によって実現してもよい。
【００４８】
以上説明したように、この発明にかかる実施の形態１のカバー取付治具１００は、それぞれ加圧面１３１を備え、当該加圧面１３１どうしの間に所定の間隔を空けた状態で対向配置された一対の加圧部材１３０と、一対の加圧部材１３０を支持する支持部材１１０と、支持部材１１０に設けられて、共用操作棒６００の先端に設けられた連結具６０２と連結可能な連結金具１２０と、を備えたことを特徴としている。
【００４９】
この発明にかかる実施の形態１のカバー取付治具１００によれば、共用操作棒６００を絶縁電線５０１に沿って移動させることによって、間に絶縁電線補修用カバー４００を挟み込んだ一対の加圧部材１３０を絶縁電線補修用カバー４００に沿ってスライド移動させることができる。そして、一対の加圧部材１３０のスライド移動にともなって、絶縁電線補修用カバー４００における複数箇所（３箇所）に設けられた爪４０３が、当該一対の加圧部材１３０の間に位置したときに、対向する凹部４０５に嵌め込むことができる。
【００５０】
このように、カバー取付治具１００を絶縁電線補修用カバー４００に沿ってスライド移動させるだけで、絶縁電線補修用カバー４００における複数箇所（３箇所）に設けられた爪４０３と凹部４０５とを容易かつ確実に嵌め込むことができる。これにより、絶縁電線補修用カバー４００における爪４０３と凹部４０５とを確実に接合し、絶縁電線補修用カバー４００の口開きを確実に防止することができる。そして、絶縁電線補修用カバー４００の口開きを確実に防止することにより、取付後に絶縁電線補修用カバー４００が脱落して、充電部が露出してしまうことを確実に防止でき、充電部が露出していることによる事故停電を確実に防止することができる。
【００５１】
また、爪４０３および凹部４０５の嵌め込みが中途半端になってしまうことがないため、嵌め込み作業のやり直しやテーピング処理などの追加作業を不要とすることができる。これにより、作業効率の向上を図り、絶縁電線補修用カバー４００の取付作業の迅速化を図ることができる。
【００５２】
また、この発明にかかる実施の形態１のカバー取付治具１００によれば、１本の共用操作棒６００を用いて操作することができるので、複数種類の間接活線機材を用いて絶縁電線補修用カバー４００の取付作業をおこなう場合と比較して、作業者の負担軽減を図ることができる。
【００５３】
このように、この発明にかかる実施の形態１のカバー取付治具１００によれば、作業者の経験に左右されることなく絶縁電線補修用カバー４００を確実に取り付けることができ、かつ、絶縁電線補修用カバー４００の取付作業にかかる作業者の負担軽減を図ることができる。
【００５４】
また、この発明にかかる実施の形態１のカバー取付治具１００は、一対の加圧部材１３０が備える各加圧面１３１が、それぞれ、当該一対の加圧部材１３０の間に形成される空間の両端側が中央側よりも狭くなるように湾曲する弓形状をなし、支持部材１１０が、一対の加圧部材１３０を支持することにより、両端のうちのいずれか一方を閉止することを特徴としている。
【００５５】
この発明にかかる実施の形態１のカバー取付治具１００によれば、円筒形状をなす絶縁電線補修用カバー４００の軸心方向に沿ってスライド移動する一対の加圧部材１３０の加圧面１３１を、絶縁電線補修用カバー４００の形状にあわせた形状とすることにより、挟み込むことによる絶縁電線補修用カバー４００の変形を防止し、確実に、爪４０３を凹部４０５に嵌め込むことができる。
【００５６】
また、この発明にかかる実施の形態の形態１のカバー取付治具１００は、一対の加圧部材１３０が、それぞれ、直径寸法が軸心方向における両端側ほど中央側よりも大きい鼓形状をなす柱状体であって、支持部材１１０が、一対の加圧部材１３０のそれぞれの軸心方向を平行にし、外周面（加圧面１３１）どうしを対向させた状態で当該一対の加圧部材１３０を支持することを特徴としている。
【００５７】
この発明にかかる実施の形態１のカバー取付治具１００によれば、支持部材１１０への加圧部材１３０の取り付け時に、柱状体における軸心方向が平行になるようにして支持部材１１０に加圧部材１３０を取り付けるだけで、加圧面１３１どうしを正対させた状態でカバー取付治具１００を組み立てることができる。これにより、カバー取付治具１００の製造の容易化を図ることができる。また、加圧部材１３０を柱状体によって実現することにより、カバー取付治具１００の小型化を図ることができる。
【００５８】
また、この発明にかかる実施の形態１のカバー取付治具１００は、一対の加圧部材１３０が、それぞれ軸心周りに回転可能であることを特徴としている。
【００５９】
この発明にかかる実施の形態１のカバー取付治具１００によれば、絶縁電線補修用カバー４００に沿ったスライド移動に際して、絶縁電線補修用カバー４００との摩擦によって加圧部材１３０を軸心周りに回転させることができる。これにより、絶縁電線補修用カバー４００に沿ってカバー取付治具１００をスライド移動させる作業者の負担軽減を図ることができる。
【００６０】
また、この発明にかかる実施の形態１のカバー取付治具１００は、連結金具１２０が、支持部材１１０における一対の加圧部材１３０と同一面に設けられていることを特徴としている。
【００６１】
この発明にかかる実施の形態１のカバー取付治具１００によれば、共用操作棒６００を作業者の手元に引っ張るようにして支持部材１１０を絶縁電線補修用カバー４００に押し付けることによって、絶縁電線補修用カバー４００に対する一対の加圧部材１３０の位置決めを容易におこなうことができる。これにより、足場に制限がある現場においても支持部材１１０を絶縁電線補修用カバー４００に安定して押し付けることができ、絶縁電線補修用カバー４００の取付作業にかかる作業者の負担軽減を図り、確実に、爪４０３を凹部４０５に嵌め込むことができる。
【００６２】
＜実施の形態２＞
（カバー取付治具の構成）
つぎに、この発明にかかる実施の形態２のカバー取付治具の構成について説明する。実施の形態２においては、上述した実施の形態１と同一部分は同一符号で示し、説明を省略する。
【００６３】
図８は、この発明にかかる実施の形態２のカバー取付治具の構成を示す説明図である。図８に示すように、この発明にかかる実施の形態２のカバー取付治具８００は、支持部材１１０と、連結金具１２０と、一対の加圧部材１３０と、付勢部材８１０と、を備えている。一対の加圧部材１３０のうちの一方の加圧部材１３０ａは、一対の加圧部材１３０の対向方向に沿ってスライド可能に設けられている。
【００６４】
具体的に、一方の加圧部材１３０ａは、たとえば、支持部材１１０に設けられた、当該一方の加圧部材１３０ａに対応する貫通孔を、一対の加圧部材１３０の対向方向を長手方向とする長孔形状とすることによって、一対の加圧部材１３０の対向方向に沿ってスライドさせることができる。この場合、一方の加圧部材１３０ａは、貫通孔の長手方向の寸法の範囲において、一対の加圧部材１３０の対向方向に沿ってスライドすることができる。
【００６５】
付勢部材８１０は、一方の加圧部材１３０ａを、他方の加圧部材１３０ｂに近接する方向に付勢する。付勢部材８１０は、たとえば、引っ張りスプリングによって実現することができる。付勢部材８１０を引っ張りスプリングによって実現する場合、たとえば、一対の加圧部材１３０を支持部材１１０に固定する各ボルト１３２の頭部の間に、引っ張りスプリングなどの付勢部材８１０を架け渡すことによって、一方の加圧部材１３０ａを他方の加圧部材１３０ｂに近接する方向に付勢することができる。
【００６６】
この場合、付勢部材８１０を実現する引っ張りスプリングは、回転カンや回転パッドアイなどを介してボルト１３２の頭部に連結することが好ましい。これにより、一対の加圧部材１３０の回転に連動してボルト１３２が回転した場合にも、付勢部材８１０を実現する引っ張りスプリングのねじれを防止することができる。
【００６７】
あるいは、付勢部材８１０は、圧縮スプリングによって実現してもよい。この場合、たとえば、支持部材１１０に、付勢部材８１０を実現する圧縮スプリングの一端を固定し、他端を一方の加圧部材１３０ａを支持部材１１０に固定するボルト１３２の頭部に連結する。この場合も、付勢部材８１０を実現する圧縮スプリングは、回転カンや回転パッドアイなどを介してボルト１３２の頭部に連結することが好ましい。一対の加圧部材１３０は、双方が、一対の加圧部材１３０の対向方向に沿ってスライド可能に設けられていてもよい。
【００６８】
（絶縁電線補修用カバー４００の取付作業手順）
つぎに、この発明にかかる実施の形態２のカバー取付治具８００を用いた、絶縁電線補修用カバー４００の取付作業手順について説明する。この発明にかかる実施の形態２のカバー取付治具８００を用いた、絶縁電線補修用カバー４００の取付作業に際しては、まず、絶縁ヤットコ５００によって絶縁電線補修用カバー４００を把持部４０４を把持した状態で、絶縁電線補修用カバー４００を絶縁電線５０１における絶縁処理の対象箇所（導電部分）に被せる。また、共用操作棒６００の先端に連結したカバー取付治具８００を、絶縁電線５０１における導電部分に被せた絶縁電線補修用カバー４００の長さ方向における一端側に位置づける。
【００６９】
そして、電線絶縁電線５０１の長さ方向に沿ってカバー取付治具８００をスライド移動させる。カバー取付治具８００においては、一方の加圧部材１３０ａが一対の加圧部材１３０の対向方向に沿ってスライド可能に設けられているため、一対の加圧部材１３０の間の間隔を、一対の加圧部材１３０の間に位置する絶縁電線補修用カバー４００の外径寸法に応じて変動させることができる。
【００７０】
また、一方の加圧部材１３０ａが他方の加圧部材１３０ｂに近接する方向に付勢されているため、一対の加圧部材１３０によって確実に絶縁電線補修用カバー４００を挟み込んだ状態で、当該絶縁電線補修用カバー４００に沿ってカバー取付治具８００をスライド移動させることができる。そして、これにより、確実に、爪４０３を凹部４０５に嵌め込むことができる。
【００７１】
以上説明したように、この発明にかかる実施の形態２のカバー取付治具８００は、一対の加圧部材１３０のうちの少なくとも一方の加圧部材１３０ａは他方の加圧部材１３０ｂに対して、対向方向に沿って移動可能に設けられており、移動可能に設けられた加圧部材１３０（たとえば、加圧部材１３０ａ）を、一対の加圧部材１３０が近接する方向に付勢する付勢部材８１０を備えたことを特徴としている。
【００７２】
この発明にかかる実施の形態２のカバー取付治具８００によれば、絶縁電線補修用カバー４００に沿ったスライド移動に際して、一対の加圧部材１３０の加圧面１３１を絶縁電線補修用カバー４００に押しつけることができる。これにより、確実に、爪４０３を凹部４０５に嵌め込むことができる。
【００７３】
また、この発明にかかる実施の形態２のカバー取付治具８００によれば、一方の加圧部材１３０ａが対向方向に沿って移動可能に設けられているため、１種類のカバー取付治具８００を用いて、外径寸法が異なる複数種類の絶縁電線補修用カバー４００の取付作業をおこなうことができる。これにより、絶縁電線補修用カバー４００の取付作業に際して使用する間接活線機材の数を少なくすることができ、作業者の負担軽減を図ることができる。
【００７４】
また、この発明にかかる実施の形態２のカバー取付治具８００によれば、一対の加圧部材１３０の加圧面１３１の間の距離がカバー取付治具８００ごとにばらついている場合にも、加圧部材１３０の移動範囲内であれば、確実に、爪４０３を凹部４０５に嵌め込むことができる。これにより、カバー取付治具８００の製造の容易化を図ることができる。
【００７５】
＜実施の形態３＞
（カバー取付治具の構成）
つぎに、この発明にかかる実施の形態３のカバー取付治具の構成について説明する。実施の形態３においては、上述した実施の形態１、２と同一部分は同一符号で示し、説明を省略する。
【００７６】
図９は、この発明にかかる実施の形態３のカバー取付治具の構成を示す説明図である。図９に示すように、この発明にかかる実施の形態３のカバー取付治具９００は、支持部材１１０と、連結金具１２０と、一対の加圧部材１３０と、を備えている。カバー取付治具９００において、連結金具１２０は、支持部材１１０において、一対の加圧部材１３０とは反対側に設けられている。
【００７７】
連結金具１２０は、一対の加圧部材１３０のそれぞれから等しい位置に設けられていることが好ましい。具体的には、たとえば、一対の加圧部材１３０の間に形成される空間の中心を通り、一対の加圧部材１３０の軸心方向に平行な直線と、円筒形状をなす連結部材の軸心方向と、を揃えることにより、一対の加圧部材１３０のそれぞれから等しい位置に連結金具１２０を設けることができる。
【００７８】
（絶縁電線補修用カバー４００の取付作業手順）
つぎに、この発明にかかる実施の形態３のカバー取付治具９００を用いた、絶縁電線補修用カバー４００の取付作業手順について説明する。この発明にかかる実施の形態３のカバー取付治具９００を用いた、絶縁電線補修用カバー４００の取付作業に際しては、まず、絶縁ヤットコ５００によって把持部４０４を把持した状態で、絶縁電線補修用カバー４００を絶縁電線５０１における絶縁処理の対象箇所（導電部分）に被せる。また、共用操作棒６００の先端に連結したカバー取付治具９００を、絶縁電線５０１における導電部分に被せた絶縁電線補修用カバー４００の長さ方向における一端側に位置づける。
【００７９】
カバー取付治具９００においては、一対の加圧部材１３０と連結金具１２０とが、支持部材１１０における同一面に設けられているため、カバー取付治具９００は、作業者側から絶縁電線５０１側に押しつけるようにする。このとき、連結金具１２０が、一対の加圧部材１３０のそれぞれから等しい位置に設けられているため、カバー取付治具９００を押しつけることによって当該カバー取付治具９００が絶縁電線５０１周りに回転してしまうことを防止できる。
【００８０】
つぎに、絶縁電線５０１の長さ方向に沿ってカバー取付治具９００をスライド移動させる。絶縁電線５０１に対してカバー取付治具９００を押しつけた状態でスライド移動させることにより、絶縁電線５０１に対して過剰な張力を掛けることなく確実に、爪４０３を凹部４０５に嵌め込むことができる。
【００８１】
なお、カバー取付治具９００においては、一対の加圧部材１３０のうちの少なくとも一方の加圧部材１３０ａを、一対の加圧部材１３０の対向方向に沿ってスライド可能とし、当該一方の加圧部材１３０ａを他方の加圧部材１３０ｂに近接する方向に付勢する付勢部材８１０を備えていてもよい。
【００８２】
以上説明したように、この発明にかかる実施の形態３のカバー取付治具９００は、連結金具１２０が、支持部材１１０における一対の加圧部材１３０とは反対側に設けられていることを特徴としている。
【００８３】
この発明にかかる実施の形態３のカバー取付治具９００によれば、絶縁電線補修用カバー４００の下方から支持部材１１０を押し付けることによって、絶縁電線補修用カバー４００に対する一対の加圧部材１３０の位置決めを容易におこなうことができる。これにより、絶縁電線補修用カバー４００を一対の加圧部材１３０の加圧面１３１の間に確実に位置づけることができ、確実に、爪４０３を凹部４０５に嵌め込むことができる。
【００８４】
また、この発明にかかる実施の形態３のカバー取付治具９００は、連結金具１２０が、一対の加圧部材１３０のそれぞれから等しい位置に設けられていることを特徴としている。
【００８５】
この発明にかかる実施の形態のカバー取付治具９００によれば、支持部材１１０を絶縁電線補修用カバー４００に安定して押し付けることができる。これにより、絶縁電線補修用カバー４００の取付作業にかかる作業者の負担軽減を図り、確実に、爪４０３を凹部４０５に嵌め込むことができる。
【００８６】
＜実施の形態４＞
（カバー取付治具の構成）
つぎに、この発明にかかる実施の形態４のカバー取付治具の構成について説明する。実施の形態４においては、上述した実施の形態１〜３と同一部分は同一符号で示し、説明を省略する。
【００８７】
図１０は、この発明にかかる実施の形態４のカバー取付治具の構成を示す説明図である。図１０に示すように、この発明にかかる実施の形態４のカバー取付治具１０００は、支持部材１１０と、連結金具１２０と、一対の加圧部材１３０と、を備えている。連結金具１２０は、ジョイント部１２１と、アダプタヘッド１０１０と、菊座部１０２０と、を備えている。
【００８８】
ジョイント部１２１は、共用操作棒６００の先端と嵌合する略円筒形状をなす。アダプタヘッド１０１０は、円板形状をなし、ジョイント部１２１に固定されている。円板形状をなすアダプタヘッド１０１０の中心には、蝶ナット（図示を省略する）が螺合される雄ネジ１０１１が設けられている。アダプタヘッド１０１０は、中心から放射状に突出する複数の突条１０１２を備えている。突条１０１２は、アダプタヘッド１０１０の板面から雄ネジ１０１１の軸心方向に突出している。
【００８９】
菊座部１０２０は、支持部材１１０に固定された略円板形状をなす。菊座部１０２０は、周縁から中心に向かって凹んだ溝１０２１を備えている。溝１０２１の突き当たりは、菊座部１０２０がなす円板形状の中心に設けられている。菊座部１０２０は、溝１０２１の突き当たりを中心として、板面から放射状に突出する複数の突条１０２２を備えている。
【００９０】
溝１２２の突き当たりをアダプタヘッド１０１０の雄ネジ１０１１に当接させるとともに、アダプタヘッド１０１０の板面に菊座部１０２０における突条１０２２側の板面を対向させた状態で、雄ネジ１０１１に蝶ナットを螺合させることによって、アダプタヘッド１０１０と菊座部１０２０とを連結することができる。これにより、ジョイント部１２１の軸心方向に対する、支持部材１１０に設けられた一対の加圧部材１３０の対向方向がなす角度を固定することができる。
【００９１】
連結金具１２０においては、アダプタヘッド１０１０における突条１０１２と菊座部１０２０における突条１０２２との噛み合い位置を調整することにより、ジョイント部１２１の軸心方向に対する、支持部材１１０に設けられた一対の加圧部材１３０の対向方向がなす角度を調整することができる。
【００９２】
（絶縁電線補修用カバー４００の取付作業手順）
つぎに、この発明にかかる実施の形態４のカバー取付治具１０００を用いた、絶縁電線補修用カバー４００の取付作業手順について説明する。この発明にかかる実施の形態４のカバー取付治具１０００を用いた、絶縁電線補修用カバー４００の取付作業に際しては、まず、絶縁ヤットコ５００によって把持した状態で、絶縁電線補修用カバー４００を絶縁電線５０１における絶縁処理の対象箇所（導電部分）に被せる。また、共用操作棒６００の先端に連結したカバー取付治具１０００を、絶縁電線５０１における導電部分に被せた絶縁電線補修用カバー４００の長さ方向における一端側に位置づける。そして、電線絶縁電線５０１の長さ方向に沿ってカバー取付治具１０００をスライド移動させる。
【００９３】
連結金具１２０は、上述したように、ジョイント部１２１の軸心方向に対する、支持部材１１０に設けられた一対の加圧部材１３０の対向方向がなす角度を調整することができるため、絶縁電線５０１における導電部分に対する作業者の位置に応じて、当該角度を調整することにより、作業者は負担の少ない姿勢で絶縁電線補修用カバー４００の取付作業をおこなうことができる。
【００９４】
以上説明したように、この発明にかかる実施の形態４のカバー取付治具１０００は、連結金具１２０が、共用操作棒６００の先端と嵌合する略円筒形状をなすジョイント部１２１と、ジョイント部１２１に固定され、蝶ナットが螺合される雄ネジ１０１１が中心に設けられた円板形状をなし、中心から放射状に突出する複数の突条１０１２を備えたアダプタヘッド１０１０と、支持部材１１０に固定された略円板形状をなし、周縁から中心に向かって凹んだ溝１２２と当該溝１２２の突き当たりを中心として板面から放射状に突出する複数の突条１０２２を備えた菊座部１０２０と、を備えたことを特徴としている。
【００９５】
この発明にかかる実施の形態のカバー取付治具１０００によれば、アダプタヘッド１０１０と菊座部１０２０とによって構成される菊座アダプタを介して共用操作棒６００と支持部材１１０とを連結することにより、共用操作棒６００の軸心方向と一対の加圧部材１３０の対向方向とがなす角度を調整することができる。これにより、作業環境に応じた最適な角度に調整することができ、絶縁電線補修用カバー４００の取付作業にかかる作業者の負担軽減を図ることができる。
【産業上の利用可能性】
【００９６】
以上のように、この発明にかかるカバー取付治具は、絶縁電線補修用カバーの取付作業に用いるカバー取付治具に有用であり、特に、当該取付作業にかかる作業者の負担軽減を図ることができるカバー取付治具に適している。
【符号の説明】
【００９７】
１００  カバー取付治具
１１０  支持部材
１２０  連結金具
１２１  ジョイント部
１３０  加圧部材
４００  絶縁電線補修用カバー
６００  共用操作棒
【図１】
2019176581.tif 000003
【図２】
2019176581.tif 000004
【図３】
2019176581.tif 000005
【図４】
2019176581.tif 000006
【図５】
2019176581.tif 000007
【図６】
2019176581.tif 000008
【図７】
2019176581.tif 000009
【図８】
2019176581.tif 000010
【図９】
2019176581.tif 000011
【図１０】
2019176581.tif 000012